(57)【要約】  基板をプラズマ処理するための方法および装置が提供される。処理チャンバは、基板支持体および基板支持体に面するリッドアセンブリを有する。リッドアセンブリは、導電板内に配設される誘導コイルを備えるプラズマ源を有し、リッドアセンブリは、入れ子になった導電リングを備えることができる。誘導コイルは、導電板と実質的に共平面であり、導電板内に形成されるチャンネルの中に嵌合する、または導電リングの中に入れ子になる絶縁体により導電板から絶縁される。フィールド集中装置は、誘導コイルの周りにもうけられ、絶縁体により誘導コイルから絶縁される。プラズマ源は、導電性支持板から支持される。ガス分配器は、ガスを、支持板の中央開口を通してチャンバに、また導電板を通して配設されるコンジットからプラズマ源に供給する。【選択図】図２
2013533575.tif 000002
【特許請求の範囲】
【請求項１】
第１の導電リングと入れ子になった第１の環状誘導コイル
を備える、プラズマチャンバ用のリッドアセンブリ。
【請求項２】
前記第１の環状誘導コイルが、前記第１の導電リングと入れ子になった絶縁チャンネル内に配設される、請求項１に記載のリッドアセンブリ。
【請求項３】
前記絶縁チャンネル内側の前記第１の環状誘導コイルの周りに配設されるフィールド集中装置をさらに備える、請求項２に記載のリッドアセンブリ。
【請求項４】
前記第１の導電リングと入れ子になった第２の絶縁チャンネル内に配設される第２の環状誘導コイルをさらに備える、請求項３に記載のリッドアセンブリ。
【請求項５】
前記第１および第２の環状誘導コイルのそれぞれが金属管を備え、前記第１の環状誘導コイルが前記導電リングの中央開口の中で入れ子になり、前記第２の環状誘導コイルが前記第１の環状誘導コイルと同心の前記導電リングの周囲端面の周りで入れ子になる、請求項４に記載のリッドアセンブリ。
【請求項６】
ガス分配器と、
前記ガス分配器の周りに配設される支持板と、
前記ガス分配器の周りに配設され、前記支持板に連結される導電リングと、
前記導電リングと入れ子になった絶縁チャンネル内に配設される環状誘導コイルと、
前記誘導コイルの周りの前記絶縁チャンネル内に配設されるフィールド集中装置と
を備える、プラズマチャンバ用のリッドアセンブリ。
【請求項７】
前記絶縁チャンネルが前記導電リングの中央開口の中に同心に配設され、前記支持板に面する開口を有し、前記導電リングの内部端面を覆う延長部を有する、請求項６に記載のリッドアセンブリ。
【請求項８】
前記支持板が導電性であり、前記導電リングに電気的に結合される、請求項７に記載のリッドアセンブリ。
【請求項９】
前記ガス分配器が前記支持板の中央開口、前記導電リング、および前記環状誘導コイルを通ってコンジットに連結され、前記支持板が前記導電リングに電気的に結合され、前記環状導電コイルが前記支持板および前記導電リングから電気的に絶縁され、前記環状導電コイルが前記導電リングと実質的に共平面である、請求項６に記載のリッドアセンブリ。
【請求項１０】
前記絶縁チャンネル内に配設されるアイソレータをさらに備え、前記アイソレータが、前記環状誘導コイルがその中に嵌入するチャンネルを有する、請求項６に記載のリッドアセンブリ。
【請求項１１】
前記環状誘導コイルが前記導電リングと実質的に共平面であり、前記環状誘導コイルが熱制御媒体用コンジットを備える、請求項１０に記載のリッドアセンブリ。
【請求項１２】
内部領域を画定するチャンバ本体と、
前記内部領域内に配設される基板支持体と、
前記内部領域内に配設され、前記基板支持体に面するリッドアセンブリであって、
ガス分配器、および
前記基板支持体に面する第１の導電表面、前記基板支持体から離れる向きである第２の導電表面、および前記第１の表面および前記第２の表面の間の導電性プラズマ源に配設される複数の導電コイルを有するプラズマ源を備えるリッドアセンブリと
を備える、半導体基板用処理チャンバ。
【請求項１３】
前記それぞれの導電コイルが前記導電性プラズマ源内に形成されるコンジット内に配設され、前記コンジットが絶縁材料で裏打ちされる、請求項１２に記載の処理チャンバ。
【請求項１４】
磁場集中装置が前記コンジット内に配設される、請求項１３に記載の処理チャンバ。
【請求項１５】
各導電コイルが熱制御媒体用の内部経路を備えて形成される、請求項１４に記載の処理チャンバ。
【請求項１６】
各導電コイルが絶縁体により分離される複数の導電ループを備える、請求項１５に記載の処理チャンバ。
【発明の詳細な説明】
【技術分野】
【０００１】
本明細書に記載の実施形態は、一般に、半導体デバイスを製造することに関する。より詳細には、本明細書に記載の実施形態は、基板のプラズマ処理のための方法および装置に関する。
【背景技術】
【０００２】
プラズマ処理は、通常、集積回路、フラットパネルディスプレイ、磁気媒体、および他のデバイスを製造するための多くの半導体製造プロセスに使用される。プラズマまたはイオン化ガスは、処理チャンバの内側で、チャンバ内の低圧のガスに電磁場を印加することにより生成され、次いで、被加工物に適用されて、堆積、エッチング、または注入などのプロセスを達成する。プラズマを、チャンバの外側で生成し、次いで、そのような処置を必要とするプロセスのために、プラズマ中のラジカルのイオンに対する比を増加させるように圧力をかけてチャンバの中に導くこともできる。
【０００３】
プラズマは、電場によって、磁場によって、または電磁場によって生成することができる。電場によって生成されるプラズマは、ガスによって占められる空間内に電場を生成するために、普通は、離間した電極を使用する。電場はガスをイオン化し、結果として生じるイオンおよび電子は、電場の影響下で一方の電極または他方の電極に向かって移動する。電場は、被加工物上に当たるイオンに非常に高いエネルギーを付与する場合があり、このことによって、被加工物から材料をスパッタし、被加工物に損傷を与え、チャンバ内に潜在的な汚染粒子を作る場合がある。加えて、そのようなプラズマをともなう高電位は、不要な放電および寄生電流を作る可能性がある。
【０００４】
誘導結合プラズマは、容量結合プラズマのいくつかの効果を回避するために、多くの状況で使用される。誘導コイルが、処理チャンバのプラズマ生成領域に隣接して配設される。誘導コイルは、チャンバ内に磁場を投射し、チャンバ内部のガスをイオン化する。誘導コイルは、しばしばチャンバの外側に配置され、誘電性の窓を介してチャンバ内に磁場を投射する。誘導コイルは、しばしば高周波電磁エネルギーにより駆動され、高周波電磁エネルギーには、誘導コイルに印加される電圧より速く大きくなる電力損失がある。したがって、プラズマ源とチャンバ内側のプラズマが強く結合することによって、電力損失を減少させる。プラズマ均一性の制御も、プラズマ源とプラズマの間の強い結合によって改善される。
【０００５】
様々な半導体産業におけるデバイスの形状寸法が減少しつづけるので、一般的にはプロセス均一性、具体的にはプラズマ均一性が、デバイスを信頼性高く製造することに、ますます有益になる。したがって、誘導性プラズマ処理装置および方法には、引き続き必要性がある。
【発明の概要】
【０００６】
本明細書に記載の実施形態は、プラズマチャンバ用のリッドアセンブリを提供し、リッドアセンブリは、第１の導電リングと入れ子になった第１の環状誘導コイルを有する。
【０００７】
他の実施形態は、半導体基板用の処理チャンバを提供し、処理チャンバは、内部領域を画定するチャンバ本体、内部領域内に配設される基板支持体、および基板支持体に面し内部領域内に配設されるリッドアセンブリを有し、リッドアセンブリは、ガス分配器ならびに基板支持体に面する第１の導電表面、基板支持体から離れる向きである第２の導電表面、および第１の表面および第２の表面の間の導電性プラズマ源に配設される複数の導電コイルを備えるプラズマ源を有する。
【０００８】
他の実施形態は、基板を処理チャンバ内の基板支持体上に配設するステップと、基板支持体に面するプラズマ源をもうけるステップであって、プラズマ源が、電極中に配設される複数の導電ループを備え、プラズマ源と基板支持体の間に処理領域を画定するステップと、ガス混合物を処理領域に提供するステップと、電極を接地するステップと、導電ループに電力を印加することによりガス混合物からプラズマを形成するステップによって、基板を処理する方法を提供する。
【０００９】
本発明の上記の特徴を詳細に理解することが可能なやり方を、上で簡単に要約された本発明のより具体的な説明が実施形態を参照することによってわかることができるように、その一部が添付の図面に示されている。しかし、他の同様に有効な実施形態を本発明が容認することができるので、添付の図面は、本発明の単に典型的な実施形態を示しており、したがって本発明の範囲を限定すると考えるべきでないことに留意されたい。
【図面の簡単な説明】
【００１０】
【図１】一実施形態にしたがう、処理チャンバの概略断面図である。
【図２】別の実施形態にしたがう、ガス分配器の概略断面図である。
【図３】別の実施形態にしたがう、ガス分配器の分解図である。
【発明を実施するための形態】
【００１１】
図１は、一実施形態にしたがう、処理チャンバ１００の概略断面の線図である。処理チャンバ１００は、チャンバ本体１０２、基板支持体１０４、および基板支持体１０４に面するガス分配器１０６を備え、チャンバ本体１０２、基板支持体１０４、およびガス分配器１０６は、協働的に処理領域１１８を画定する。ガス分配器１０６は、シャワーヘッド１０８およびシャワーヘッド１０８を囲むプラズマ源１１０を備える。プラズマ源１１０は、導電スペーサ１１４および導電スペーサ１１４の内側に配設される導電コイル１１２を備える。導電スペーサ１１４内に配設される、１つまたは複数の導電コイル１１２があって良い。導電スペーサ１１４は、導電コイル１１２を収容するチャンネルまたはコンジットを備えるディスク様の部材であって良い。交互に、導電スペーサ１１４は、導電コイル１１２を分離し、導電コイル１１２と入れ子になる複数のリングであって良い。導電コイル１１２のそれぞれは、絶縁材料で裏打ちされるチャンネルまたは凹部１１６内に収容される。チャンネルまたは凹部１１６の絶縁材料は、電流が導電コイル１１２から導電スペーサ１１４の中に伝わることを防止する。導電コイル１１２は、処理領域１１８内に磁場を作り、磁場は、処理領域１１８内に配設される処理ガスをイオン化してプラズマを形成する。いくつかの実施形態において、導電コイル１１２は、図２に関連して下でさらに記載されるように、取外し可能な絶縁部材を特徴として有するコイルアセンブリであって良い。
【００１２】
導電スペーサ１１４は、基板支持体１０４に面する、大きな表面積の接地電極をもうける。大きな接地電極によって、より低い電力レベルを使用して、基板支持体において、より高い電圧を生成することが可能になる。導電スペーサ１１４内に導電コイル１１２を配設することによって、同様に、プラズマ源を処理領域１１８のプラズマ生成区域に近づけて、プラズマとの結合効率を改善する。加えて、導電スペーサ１１４の大きな接地表面積によって、チャンバ内のプラズマシース電圧を減少させ、このことがチャンバ壁およびチャンバリッド構成要素のスパッタリングを減少させ、基板支持体上に配設される被加工物の汚染を減少させる。複数の導電コイル１１２を使用することによって、同様に、処理領域１１８内のプラズマプロファイルを調整するため、コイルに異なる電力レベルを使用する可能性をもたらす。
【００１３】
図２は、別の実施形態にしたがう、リッドアセンブリ２００の概略断面の線図である。図１のガス分配器１０６と同様に、リッドアセンブリ２００はシャワーヘッド２０２およびプラズマ源２０４を備える。ガスコンジット２０６は、ガス源（図示せず）をシャワーヘッド２０２に接続し、ガス源をシャワーヘッド２０２内の開口２０８を介して処理チャンバと流体連結の状態にする。
【００１４】
プラズマ源２０４は、導電性ガス分配部材２１４間に形成されるチャンネル２１２内に配設される導電コイル２１０を備える。いくつかの実施形態において、ガス分配部材２１４は、金属または金属合金であって良く、所望であれば、誘電体材料で、またはイットリアなどの化学的耐性のあるまたはプラズマ耐性のある材料でコーティングすることができる。導電コイル２１０は、１つより多い導電コイル２１０が存在して良いが、同様に金属、金属合金、または金属でコーティングされた誘電体もしくは異なる導電率を有する金属を特徴として有する金属複合物などの、導電性複合物であって良い。導電コイル２１０のための材料の選択は、一般的に、所望の熱伝導率および電気伝導率に依存する。より低い電気伝導率を有する材料は、一般的にコストがより低いが、より低い伝導率の材料から作られた導電コイルは、不要な熱を生成する場合があり、動作させるために過剰な電力が必要な場合がある。銅および銀などの、より導電性の高い材料は、導電コイル用にうまく使用することができる。アルミニウム、亜鉛、またはニッケルなどの導電性が低く、より低コストの材料を、合金または層の構成要素として含むことができる。
【００１５】
水などの冷却液体または窒素などの冷却ガスであって良い熱制御媒体用のコンジットを備える導電コイル２１０を形成することにより、熱を放散することができる。導電コイル２１０は、いくつかの実施形態において、環状またはトロイダル状の管であって良い。管壁の厚さは、必要な熱伝導率および電気伝導率に基づいて規定することができる。冷却は、例えば約５００Ｗを超える大電力が、導電コイル２１０に印加されるときに有用な場合がある。一実施形態において、導電コイルは、銅の層および銀の層を備えるトロイダル管である。
【００１６】
チャンネル２１２は、一般的に、セラミックまたはプラスチック、例えばテフロン（登録商標）であって良い、絶縁部材２１６で裏打ちされる。絶縁部材２１６は、電流を導電コイル２１０に閉じ込める。絶縁材料は、チャンネル２１２内に嵌入する挿入物であって良く、または他の実施形態では、チャンネル２１２の内部表面に付着されるライナであって良い。図２の実施形態は、２つの絶縁部材２１６を特徴として有し、絶縁部材２１６のそれぞれは、それぞれのチャンネルの内側に嵌合する環状部材であり、絶縁部材２１６のうちの１つは、図２の実施形態内の第１のチャンネルである、最内チャンネル２１２の内側に嵌合し、他の絶縁部材２１６は、図２の実施形態内の第２のチャンネルである、最外チャンネル２１２の内側に嵌合する。チャンネル２１２のそれぞれは、チャンネル２１２の中に配設される導電コイル２１０を有する。図２の実施形態において、各導電コイルは、２つの導電ループ２１８を備える。１対の導電ループ２１８が、それぞれの絶縁部材２１６により形成される凹部の内側に載る。
【００１７】
２つの導電ループ２１８は、それぞれの導電ループ２１８を囲むように働く、それぞれのアイソレータ２２０によって、お互いが電気的に隔離される。図２の実施形態において、各アイソレータ２２０は、導電ループ２１８が嵌入する凹部２２４を有する環状の誘電体部材である。アイソレータ２２０の凹部２２４とアイソレータ２２０が嵌入するチャンネル２１２は、一般的に、反対方向に向く。したがって、各導電ループは、アイソレータ２２０により３つの側を、絶縁部材２１６により１つの側を囲まれる。アイソレータ２２０は、任意の都合の良い断面形状を有して良いことに留意されたい。例えば、代替実施形態において、凹部２２４が丸みのある断面形状を有するように、アイソレータ２２０は、丸みのある管状の導電ループ２１８の輪郭にしたがうために丸みをつけることができる。別の実施形態において、各アイソレータ２２０および／または各凹部２２４の断面プロファイルは、斜角をつけたコーナを有する矩形であって良い。さらに他の実施形態において、導電ループ２１８は、ループを隔離するコーティングを用いて形成することができる。アイソレータ２２０は、セラミック、ガラス、またはプラスチックなどの任意の絶縁材料であって良い。図２の実施形態において、各アイソレータ２２０は、単一の導電ループ２１８を覆う単一の部片として示されるが、代替実施形態において、アイソレータは、２つの隣接する導電ループ２１８を覆うように形成する一方で、２つの隣接する導電ループ２１８の間に壁を配設することができる。
【００１８】
フィールド集中装置２２２が、各導電コイル２１０の周りに配設され、各導電コイル２１０により生成される磁場を増幅する。図２の実施形態において、集中装置２２２は、１対の導電ループ２１８および導電ループ２１８それぞれのアイソレータ２２０の周りに配設されるが、他の実施形態において、各ループ２１８をフィールド集中装置２２２と対にすることができ、または２つより多いループをフィールド集中装置２２２と結合することができる。フィールド集中装置２２２は、各導電コイル２１０により生成される磁場を、処理チャンバのプラズマ生成区域に向けて集束させ、プラズマ生成区域から離れて投射する磁気エネルギーを最小化する。各フィールド集中装置２２２は、一般的に、フェライトまたは低保持力材料などの他の磁気感受性材料または磁化可能材料を含む。導電コイル２１０を熱制御することよって、フィールド集中装置２２２の温度変動を最小化し、導電コイル２１０により生成される磁場を制御するために、フィールド集中装置２２２の磁気特性を維持する。
【００１９】
誘電コイル２１０は、絶縁部材２１６と入れ子になり、協働的にチャンネル２１２を画定する、ガス分配部材２１４の中に挿置される。導電部材２２６も、誘導コイル２１０およびガス分配部材２１４と挿置される。一実施形態において、導電部材２２６は、金属、金属合金、または金属混合物を含むリングであり、導電部材２２６のそれぞれを支持部材２２８に取り付けることができる。絶縁部材２１６は、導電部材２２６とガス分配部材２１４の間に嵌合し、導電部材２１４および２２６と実質的に共平面構成のチャンネル２１２をもうけ、そのため、誘導コイル２１０は、導電部材２１４および２２６と実質的に共平面である。
【００２０】
支持部材２２８も一般的に導電性である。いくつかの実施形態において、支持部材２２８は、金属ブロックである。支持部材２２８は凹部２３０を有し、凹部２３０は導電部材２２６とともに取込み空間２３２を画定し、取込み空間２３２の中に各絶縁部材２１６の肩の部分２３４が取り込まれて、絶縁部材２１６をリッドアセンブリ２００の中に固定する。導電部材２１４および２２６によって、プラズマの極近傍に大きな接地表面をもたらすことが可能になり、より低い電力レベルおよびより低い熱入力で、基板支持体上で使用されるより高いバイアス電圧を可能にする（図１）。図２のリッドアセンブリ構成は、同様に、誘導コイル２１０のプラズマ源エネルギーを処理領域内のガスの極近傍にもたらして、より低い電力レベルでより高いプラズマ密度を生じさせる。誘導コイル２１０などの複数の誘導コイルを使用することによっても、各個々のコイルに印加される電力レベルを調節することによりチャンバ内で生成されるプラズマプロファイルの調整を可能にする。
【００２１】
支持部材２２８は、プロセスガスを導電性ガス分配部材２１４にもたらす、１つまたは複数のコンジット２３６を備える。加えて、いくつかの実施形態において、導電性ガス分配部材２１４はコンジット（図示せず）を備え、均一なガス分配のため、ガス分配部材２１４の周囲の周りにコンジット２３６からガスを分散させることができる。導電性ガス分配部材２１４を誘導コイル２１０で挿置することにより、装置２００は、プラズマ源とシャワーヘッドの両方として使用することができる。ガス流は、装置の面にわたって均一に分配され、ＲＦ電力は、様々な開口を出るプロセスガスに近接結合される。
【００２２】
熱制御は、場合によって支持部材２２８内に熱制御コンジット２４０を含むことにより、向上させることができる。支持部材２２８内に熱制御コンジットを配置することによって、フィールド集中装置２２２の熱制御を向上させることができ、フィールド集中装置２２２は、他の場合には、ループ２１８を通って循環する任意の熱制御流体から少なくとも部分的にアイソレータ２２０により絶縁される。フィールド集中装置２２２の近傍の熱制御は、フィールド集中装置２２２の電磁特性を維持するのに有利な場合がある。また場合によっては、クッション２３８がフィールド集中装置２２２と支持部材２２８の間に配設されて、フィールド集中装置２２２への任意の損傷を回避することができる。フィールド集中装置２２２は、支持部材２２８の金属表面と直接接触することにより容易に損傷を受ける可能性がある。クッション２３８は、ＧｒａｆＴｅｃｈ  Ｉｎｔｅｒｎａｔｉｏｎａｌの子会社であり、オハイオ州Ｌａｋｅｗｏｏｄの、Ｎａｔｕｒａｌ  Ｇｒａｐｈｉｔｅ  Ｏｐｅｒａｔｉｏｎｓにより製造され、テキサス州Ｄｅｅｒ  ＰａｒｋのＬｅａｄｅｒ  Ｇｌｏｂａｌ  Ｔｅｃｈｎｏｌｏｇｉｅｓにより流通される、可撓性黒鉛シーリング材料である、Ｇｒａｆｏｉｌ（登録商標）などの、熱的に伝導性の材料であって良い。
【００２３】
一般に、リッドアセンブリ２００は、任意の寸法の基板を処理するための、任意の都合の良い形状またはサイズを有することができる。リッドアセンブリ２００は、円形、矩形または任意の多角形形状であって良い。リッドアセンブリ２００は、任意の種類の半導体チップを作るための半導体ウエハを処理するために適合されるサイズおよび形状であって良く、またはリッドアセンブリ２００は、大画面ディスプレイまたは太陽パネルなどの半導体パネルを処理するために適合されるサイズおよび形状であって良い。ＬＥＤ基板または磁気媒体基板などの他のタイプの基板も、本明細書に記載のリッドアセンブリを使用して処理することができる。いくつかの実施形態において、導電コイル（または複数のコイル）２１０は、同心の円形形状で、同心の非円形（矩形、多角形、正方形、または不規則）形状で、または牛耕式またはジグザグパターンなどの非同心の形状で配設することができる。別の非同心の実施形態において、導電コイル（または複数のコイル）２１０は、螺旋パターンで配設することができる。
【００２４】
いくつかの実施形態において、リッドアセンブリは、いくつかの差異を備えるが、図２のリッドアセンブリ２００に類似することができる。一実施形態において、リッドアセンブリは、基板支持体に向いた曲がった表面を有することができ、曲がったとは、凸状または凹状の意味である。一態様において、プラズマ源全体が曲がっていて良い（すなわち、基板支持体に向いたプラズマ源の表面および基板支持体から離れる向きの表面が両方とも凸状または凹状である）。別の態様において、基板支持体に向いたリッドアセンブリの表面のみが曲がっていて良い。一実施形態において、特に大面積リッドアセンブリ用に、複数のシャワーヘッドがもうけられて良い。一実施形態において、支持部材２２８を通して１つまたは複数のコンジットをもうけることによって、導電部材２２６を通してガスを注入することができる。他の実施形態において、複数のディスクリート回路ではなく、単一の電気回路を備える導電コイルをもうけることができる。例えば、一実施形態において、導電コイルを、相補的な導電部材と入れ子になる、または相補的な導電部材内に配設される、平坦な、円形のまたは矩形の螺旋形状に配置し、そのため、導電部材および導電コイルが実質的に平坦なプラズマ源を形成することができる。そのような螺旋形状を、ｚにずらし、そのため、プラズマ源が平坦でなく、凸状または凹状という意味で、ｚ次元を有することもできる。
【００２５】
図３は、別の実施形態にしたがう、リッドアセンブリ３００の分解図である。リッドアセンブリ３００は、図２のリッドアセンブリ２００と大部分に関して同様であり、同一の特徴は、同じ識別ラベルで標示される。リッドアセンブリ３００は、リッドアセンブリ３００が設置されるチャンバのプロセス領域にガスを送達するためのコンジット２０６を備える。リッドアセンブリ３００は、第１のＲＦコイル３０２および第１のＲＦコイルと同様の第２のＲＦコイル３０４をさらに備え、第１のＲＦコイル３０２は、分解された形で示される。第１のＲＦコイル３０２は、絶縁チャンネル３０８内に配設される複数の導体３０６を備える。図３の実施形態において、導体３０６は、円形かつ同心であるが、代替実施形態において、導体３０６は、本明細書に記載するように、任意の都合の良い構成に配設することができる。導体３０６のそれぞれは、導体３０６に電力を供給するための接点３１０を有する。本明細書の他の場所に記載のように、導体３０６は、電力に加えて冷却剤を運ぶように構成される導電管であって良い。したがって、接点３１０も、導体３０６に冷却剤を提供するために使用することができる。
【００２６】
導体３０６は、一般的に金属または他の電気的に導電性の材料である。金属は、単一の金属、合金、混合物、または金属の別の組合せであって良い。導体３０６は、いくつかの実施形態において、セラミックまたはポリマーなどの非導電材料でコーティングすることもできる。一実施形態において、導体３０６は、銀メッキされた銅管である。使用される金属は、一般的に、特定の実施形態に必要な電気特性および熱特性に依存する。大電力用途では、より高い電気伝導率は、一般的により低いサーマルバジェットをもたらすことになり、そのためより導電性の材料が有利な場合がある。複数のＲＦコイルが使用されるとき、コイルのそれぞれが異なる組成物を有する場合があることに留意されたい。例えば、銀メッキされた銅管は、銀メッキの異なる厚さまたは異なる管壁厚を有し、管の間で、異なる導電率を実現することができる。他の実施形態において、各ＲＦコイルは、単に１つの導体、または２つより多い導体を有する場合がある。
【００２７】
絶縁体３１２が導体３０６の上に配設され、そのため、導体３０６は、絶縁性材料によって囲まれる。このことが、第１のＲＦコイル３０２と第２のＲＦコイル３０４の間に挿置される導電リング３１４および３１６に電力が流れることを防止する。絶縁体３１２は、図３の上面斜視図では見えない壁を備える。壁は、２つの導体３０６間に延在して、所与のＲＦコイル３０２または３０４内の導体３０６間の電気的なクロストークを防止する。したがって、各導体３０６は、絶縁材料によって囲まれる。導体３０６に電力が提供されると、導体３０６によって磁場が生成される。フィールド集中装置３１８は、部分的に導体３０６の周りに配設され、効率改善のために磁場を処理ゾーンの方向に集束させ、かつ磁場を処理ゾーンの方向に向ける。
【００２８】
絶縁体３１２は、各接点３１０用に通路３２０をさらに備える。通路３２０は、フィールド集中装置３１８内の開口を通過して、電力と結合される接点３１０用の経路を実現すると同時に、接点３１０とフィールド集中装置３１８の間が電気的に接触することを防止する。接点は、フィールド集中装置３１８を通って突出し、そこで接点がＲＦ源と結合することができる。
【００２９】
図２の実施形態と同様に、任意の数のＲＦコイルを、リッドアセンブリ３００内に配設することができる。導電リング３１４および３１６の中に開口とともにコンジットをもうけてプロセスガスを処理ゾーン内に放出することによって、コンジット２０６に加えて、またはコンジット２０６のかわりに導電リング３１４および３１６を通して、プロセスガスを提供することもできる。リッドアセンブリ３００は、本明細書に記載の実施形態のいずれかにしたがって、湾曲を有して形成することもできる。
【００３０】
本明細書に開示の実施形態は、プロセスチャンバ内の基板支持体上の基板を処理する方法も提供する。プラズマ源を、基板支持体に面する位置にもうけ、基板を処理するプラズマを形成することができる。方法は、電極に配設される複数の導電ループを有するプラズマ源をもうけるステップと、チャンバに処理ガスを提供するステップと、電極を接地するステップと、導電ループに電力を印加することにより処理ガスからプラズマを形成するステップとを含む。導電ループは、コーティングすること、ラッピングすること、またはループを電気的な絶縁材料内に据えることにより電極から電気的に絶縁することができ、電気的な絶縁材料は、電極内に形成されるチャンネル、導電ループに塗布されるコーティング、または電極内に形成されるチャンネルの内側に配設されるライナなどの容器であって良い。ＲＦ電力がループに印加され、独立に制御されて、プロセスチャンバ内でプラズマ密度を成形することができる。導電ループは、所望であれば、管状導電ループを通して冷却流体などの熱制御媒体を循環させることにより、熱的に制御することができる。
【００３１】
導電ループは、いくつかの実施形態において、電極と実質的に共平面であって良い。他の実施形態において、電極は、電極内に配設される導電ループを有する、非平面であって良い。さらに他の実施形態において、導電ループを、部分的には電極の中に配設し、部分的には電極の外側に配設して、電極の外側に配設される導電ループの任意の部分を、絶縁材料の中に含む、または封入することができる。
【００３２】
プラズマは、処理チャンバのプラズマ領域内側の場を集中させるために配設されるフィールド集中装置をもうけることによって、さらに強化することができる。例えば、フィールド集中装置は、導電ループがフィールド集中装置と基板支持体の間にあるように、一般的に基板支持体と対向して配設することができる。そのような配置によって、チャンバの外側に磁場の向きの線が展開することを防止し、プラズマ源のエネルギーを処理ガス内に集束させる。
【００３３】
上記が本発明の実施形態を対象とする一方、本発明の他のさらなる実施形態が、本発明の基本範囲から逸脱することなく考案することができ、本発明の範囲は、以下の特許請求の範囲により決定される。
【図１】
2013533575.tif 000003
【図２】
2013533575.tif 000004
【図３】
2013533575.tif 000005
【国際調査報告】
2013533575.tif 000006
2013533575.tif 000007